(57)【要約】【課題】  偽造防止を必要とするセキュリティ印刷物に対し、複数の手段により真偽判別することが可能な偽造防止印刷物を提供する。【解決手段】  本発明は、潜像模様のポジ画像を形成する複写機で再生される第１の要素と潜像模様のネガ画像を形成する複写機で再生されない第２の要素を異なる位相に形成し、第１の要素と第２の要素を合計した濃度が同一であり、第１の要素が形成された位置にレンチキュラーレンズの中心を重ねると、潜像模様が視認され、かつ、複写機で複写した場合に、潜像模様が出現する偽造防止印刷物、偽造防止印刷物用データの作成方法及び作製システムに関するものである。【選択図】  図１
2020089971.tif 000002
【特許請求の範囲】
【請求項１】
基材上の少なくとも一部に第１の画線領域及び第２の画線領域を少なくとも有するユニットが規則的に所定のピッチでマトリクス状に形成された印刷模様を有し、
前記ユニットは、第１の方向に沿って隣接する複数の前記ユニットにおいて同一線上に形成された前記第１の画線領域と、前記第１の方向に沿って、前記第１の画線領域と異なる位相で、かつ、隣接する複数の前記ユニットにおいて同一線上に形成された前記第２の画線領域を有し、
前記第１の画線領域は、前記基材とは異なる色で、かつ、複写機によって再生される大きさの潜像要素によって潜像模様のポジ画像が形成され、
前記第２の画線領域は、前記基材と異なる色で、かつ、複写機によって再生されないハーフトーン濃度のカモフラージュ要素によって前記潜像模様のネガ画像が形成され、
複数の前記ユニットにおいて形成された前記潜像要素と前記カモフラージュ要素を合計した面積率は、前記印刷模様内全てにおいて同一の面積率で形成されたことを特徴とする偽造防止印刷物。
【請求項２】
前記潜像要素は、赤外線吸収性色素を含む色材で形成され、
前記カモフラージュ要素は、赤外線吸収性色素を含まない色材で形成されたことを特徴とする請求項１記載の偽造防止印刷物。
【請求項３】
前記潜像要素は、各々の前記第１の画線領域において面積率が変化して形成されたことで、連続階調を有する前記潜像模様が形成されたことを特徴とする請求項１又は２記載の偽造防止印刷物。
【請求項４】
前記ユニットは、更に第３の画線領域を有し、
前記第３の画線領域は、前記第１の方向に沿って前記第１の画線領域及び前記第２の画線領域と異なる位相で、かつ、隣接する複数の前記ユニットにおいて同一線上に形成され、
前記第３の画線領域は、前記基材と異なる色で、かつ、複写機によって再生されないハーフトーン濃度の可視要素によって可視画像が形成されたことを特徴とする請求項１から３までのいずれか一項に記載の偽造防止印刷物。
【請求項５】
前記可視要素は、赤外線吸収色素を含まない色材で形成されたことを特徴とする請求項４記載の偽造防止印刷物。
【請求項６】
複数の前記ユニットにおける前記潜像要素及び前記カモフラージュ要素の合計面積率は、５％から４０％までの範囲内であることを特徴とする請求項１から５までのいずれか一項に記載の偽造防止印刷物。
【請求項７】
少なくとも潜像模様の基となる画像データを入力する入力手段と、入力された前記画像データを基に、肉眼では不可視、かつ、特定の観察方法では可視となる潜像模様を生成する編集手段を少なくとも備えた偽造防止印刷物用データの作成方法であって、
前記入力手段を用いて、前記潜像模様の基となる画像を外部から入力するか、又はあらかじめ登録したデータベースから取り込んで前記潜像模様の基画像を設定するステップと、
前記編集手段を用いて、前記潜像模様の基画像をグレースケール画像に変換するステップと、
前記グレースケール画像にプロファイルを適用し、領域平均化画像のトーンカーブを変更するプロファイル適用ステップと、
前記グレースケール画像に臨界値配列画像を適用し、第１の画線領域に前記潜像模様のポジ画像を生成する臨界値配列画像適用ステップと、
前記プロファイル適用ステップで生成された画像データを、第２の画線領域に前記潜像模様のネガ画像を生成するためのマスクを適用するステップと、
前記ポジ画像と前記ネガ画像を合成した合成画像を生成するステップを少なくとも備えたことを特徴とする偽造防止印刷物用データの作成方法。
【請求項８】
前記グレースケール画像に変換するステップで得られたグレースケール画像に基づき、所定の領域内におけるグレーレベルを平均化した前記領域平均化画像を生成する領域平均化ステップを更に有することを特徴とする請求項７記載の偽造防止印刷物用データの作成方法。
【請求項９】
前記ポジ画像をＫチャンネルに変更するステップと、
前記ネガ画像をＣＭＹチャンネルに変更するステップを更に備えたことを特徴とする請求項７又は８記載の偽造防止印刷物用データの作成方法。
【請求項１０】
前記入力手段を用いて、可視模様の基となる画像を外部から入力するか、又はあらかじめ登録したデータベースから取り込んで前記可視模様を設定するステップと、
前記可視模様のトーンカーブを適用するステップと、
前記トーンカーブを適用した前記可視模様に、第３の画線領域に前記可視模様を生成するためのマスクを適用するステップと、
前記合成画像に前記可視模様を合成するステップを備えたことを特徴とする請求項７から９までのいずれか一項に記載の偽造防止印刷物用データの作成方法。
【請求項１１】
前記可視模様をＣＭＹチャンネルに変更するステップを更に備えたことを特徴とする請求項１０記載の偽造防止印刷物用データの作成方法。
【請求項１２】
少なくとも画像を受信する特定情報受信サーバと、前記画像を肉眼では不可視、かつ、特定の観察方法では可視の潜像模様として形成する請求項７から１１までのいずれか一項に記載の偽造防止印刷物用データの作成方法を備えたソフトウェアを有するデータ変換サーバと、前記潜像模様を少なくとも有する偽造防止印刷物を出力する出力デバイスを有する偽造防止印刷物の作製システムであって、
前記特定情報受信サーバを用いて、少なくとも前記潜像模様の基となる前記画像を、通信回線を介して受信するか、又はあらかじめ登録したＩＣメモリから取り込んで前記潜像模様の基画像を設定し、前記データ変換サーバに配信するステップと、
前記データ変換サーバにおける前記ソフトウェアを用いて、少なくとも前記潜像模様が形成された前記偽造防止印刷物の画像データに変換するステップと、
前記出力デバイスを用いて、前記偽造防止印刷物を出力するステップを有することを特徴とする偽造防止印刷物の作製システム。
【請求項１３】
前記偽造防止印刷物の画像データに変換するステップは、前記出力デバイスにより出力したテストチャートから前記出力デバイスの特徴を抽出するか、又はあらかじめ登録された前記出力デバイスの特徴を加味したトーンカーブに補正するステップを有することを特徴とする請求項１２記載の偽造防止印刷物の作製システム。
【発明の詳細な説明】
【技術分野】
【０００１】
本発明は、銀行券、株券、債券等の有価証券、各種証明書、重要書類等の偽造、改ざんの防止が求められる印刷物において、カラー複写機又はモノクロ複写機により複写した場合に容易に真偽判別することができる偽造防止印刷物、偽造防止印刷物用データの作成方法及び偽造防止印刷物の作製システムに関するものである。
【背景技術】
【０００２】
銀行券、株券、債券等の有価証券、各種証明書、重要書類等の印刷物において、偽造、改ざん防止策は重要な要素である。これらの印刷物の偽造、改ざん防止策は、主に、幾何学模様を多様化した図柄をデザインに用いる方法と、印刷物に対して何らかの手段と作用を加えることで、目視では認識することができない潜像が現出する方法がある。前者の代表的な例は、証券印刷物等のデザインに広く用いられる地紋、彩紋模様、レリーフ模様等があり、後者の代表的な例は、潜像凹版やカラー複写機で色が正常に再現されないような機能性インキ、コピー防止画線等がある。
【０００３】
前述の印刷物に対し、何らかの手段と作用を加えることで、目視では認識することができなかった潜像を複写物に現出させる方法の代表的な技術として、一般的にコピー防止画線と称する一連の技術がある。また、用紙の表面に網点で潜像を印刷し、万線で潜像と同濃度の背景を同時印刷し、背景を含む潜像の上面に装飾模様をコピーで再現されない程度の薄色の透明性インキで重ね刷りすることにより、印刷物表面を体裁よく仕上げ、コピーにかけると模様は見えなくなり、背景は再現されるとともに、潜像は再現されず、背景と潜像の濃度差が歴然となって複写物であることが一見して分かるといった方法は、これまでも数多くの出願がある。
【０００４】
また、本出願人は、曲線状の集合模様として、潜像を施さない部分の画線を連続線、潜像を施した部分の画線を基本線方向に一定の間隔で配列された形状の画線から成る定周期断絶線で構成し、潜像を施した部分の定周期断絶線のうち、基本線方向に連続した一つの画線部と非画線部から成る一周期に相当する部分の画線面積の総和が、潜像を施さない部分の連続線のうち、前述の潜像部における画線部と非画線部から成る一周期と同一の長さに相当する部分の画線面積と等しくし、さらに、潜像を施した部分の定周期断絶線となっている画線において、定周期断絶線の画線同士が交差する部分で、画線同士のどちらか一方の画線を、もう一方の画線の画線幅の範囲内で削除することを特徴とした複合要素セキュリティ模様の作成方法及びその印刷物を出願している（例えば、特許文献１参照）。
【０００５】
また、本出願人は、複写機で再生される第１の大きさの画線と、複写機で再生されない第２の大きさの画線によって同一濃度の背景部を形成し、さらには、複写機で再生されない第３の大きさの画線によって可視画像部を形成することで、印刷物を通常光下で観察した場合には、背景部上に形成された可視画像部の濃度によって可視画像が観察されるが、印刷物をカラー複写機等の複写機で複写した場合、可視画像部を形成する第３の大きさの画線と、背景部を形成する第２の大きさの画線は再生されないことで、可視画像とは全く異なる潜像模様が出現する、画像のチェンジ効果を備えた複写、改ざん防止印刷物を出願している（例えば、特許文献２参照）。
【０００６】
また、本出願人は、印刷物上に形成された可視画像と複写機で複写した際に出現する潜像模様がチェンジする効果を有し、かつ、複写物に出現する潜像模様を写真画像のような連続階調画像とすることができる偽造防止用印刷物を出願している（例えば、特許文献３参照）。この印刷物は、連続階調を有する潜像模様を潜像画線の大小（太細）により形成し、当該潜像画線と濃度を反転させたカモフラージュ画線を複写機で再現されない大きさの画線で形成することで、印刷物を視認しても潜像模様は確認されないが、複写機で複写した場合にカモフラージュ画線が消失し、連続階調を有する潜像模様が出現するものである。
【０００７】
また、本出願人は、第１の方向に沿って、中心を境に対向するように配置された第１の画線及び第２の画線と、第１の方向と直交する第２の方向に沿って、中心を境に対向するように配置された第３の画線及び第４の画線とを有する画線要素が、一定のピッチで複数マトリクス状に配置されており、各々の画線要素における第１の画線と第２の画線、第３の画線と第４の画線は、ネガポジの関係にあり、第１の画線又は第２の画線により第１の不可視画像が形成され、第３の画線又は第４の画線により第２の不可視画像が形成されることを特徴とする偽造防止用印刷物を出願している（例えば、特許文献４参照）。
【０００８】
また、本出願人は、高解像度なハードコピーにおける偽造防止策として、１つの第１の領域と、第１の領域に隣接する１つの第２の領域とが複数組配置され、各々の第２の領域の周囲が、複数の第１の領域に囲まれ、第１の領域は、第２の領域より面積が大きく、第２の領域は赤外線吸収色素を含むブラックインキを用いて構成された第２ａの領域と赤外線吸収色素を含まないインキを用いて構成された黒色系である第２ｂの領域とを有し、各々の第２の領域における第２ａの領域と第２ｂの領域との比率に応じて、複数の第２の領域における第２ａの領域により階調画像が形成されていることを特徴とする網点印刷物を出願している（例えば、特許文献５参照）。
【０００９】
さらに、本出願人は、特定の波長において吸収する又は発光する第１の色材で印刷した第１の線画と、特定の波長において吸収しない又は発光しない可視光下では第１の色材と同色に見える第２の色材で印刷した第２の線画で構成され、第１の線画と第２の線画はそれぞれ画線幅の違う背景領域と潜像領域で構成され、第２の線画の潜像領域は第１の線画の潜像領域と形状及び大きさが等しく、第１の線画と第２の線画が重なり、背景領域と潜像領域の濃度が等しいことを特徴とする偽造防止印刷物を出願している（例えば、特許文献６参照）。
【先行技術文献】
【特許文献】
【００１０】
【特許文献１】特許第３２６８４１８号公報
【特許文献２】特許第５６９２６６３号公報
【特許文献３】特許第６３９４９７５号公報
【特許文献４】特許第４６３５１６０号公報
【特許文献５】特許第３５４４５３６号公報
【特許文献６】特許第４４４１６３４号公報
【発明の概要】
【発明が解決しようとする課題】
【００１１】
しかしながら、特許文献１の印刷物は、近年の高機能化された製版及び印刷出力装置を用いた場合、その画線構成を容易に再現することができてしまうことで複合要素セキュリティ機能が発揮されないことがあった。
【００１２】
また、特許文献１の印刷物は、複写時の効果は向上したものの、可視画像であった模様が完全に入れ替わるものではなく、可視画像と潜像が重なっている部分については可視画像が優先され、潜像が部分的に欠けた状態となり、複写後に視認される画像の視認性を向上させるべきという課題があった。
【００１３】
また、特許文献２の印刷物は、印刷物と複写物において、可視画像と複写物に出現する潜像模様が完全に入れ替わることから、複写後に視認される画像の視認性は向上したが、可視画像と潜像模様を形成する規則的な画線が残る又は消失するというオン・オフの関係により画像のチェンジ効果を創出しており、潜像模様自体が２値画像であることから、可視画像が消失し、潜像模様が出現した複写物の画像を加工することで偽造品を作成する方法に対しては、高い偽造抵抗力を有するものではないという課題が残されていた。
【００１４】
また、特許文献３の印刷物は、連続階調を有する潜像模様を形成することで、複写物を加工する行為に対して極めて高い複合要素セキュリティ効果を有しているが、潜像模様を形成する潜像画線及びカモフラージュ画線を「線」と「点」で構成していることから、潜像模様の視認性が複写機に搭載されたバンドパス・フィルタ等の画像処理性能に左右され、カモフラージュ画線が完全に消失しない場合がある。そのため、複合要素セキュリティ効果が十分ではないという課題が残されていた。
【００１５】
また、特許文献４による偽造防止用印刷物は、通常の観察において可視画像を設けることが可能で豊かなデザイン性と、簡易な判別具における潜像の高い視認性を有し、低コストで製造できるという優れた効果があるものの、高解像度なハードコピーにおける偽造防止策としては不十分であった。
【００１６】
また、特許文献５及び６の印刷物は、高解像度なハードコピーにおける偽造防止策として優れた効果があるものの、特定の波長において吸収する又は発光する色材、例えば、赤外線吸収色素の有無を判別するという特殊性から、判別具が光学系機械部品又は特定の電磁波を受信する機械部品で構成した特殊な装置となるため、特許文献１から４までにあるような簡易な判別ができないという問題がある。
【００１７】
さらに、特許文献１から３までの印刷物では、低コストで製造できるという優れた効果があるものの、高性能なハードコピーにおける偽造防止策としては不十分であった。これにより、限られた印刷面積の中で複数の偽造防止策が共有でき、ユーザーの使用環境や立場に応じた真偽判別手段が選択できる偽造防止印刷物が望まれていた。
【課題を解決するための手段】
【００１８】
本発明の偽造防止印刷物は、基材上の少なくとも一部に第１の画線領域及び第２の画線領域を少なくとも有するユニットが規則的に所定のピッチでマトリクス状に形成された印刷模様を有し、前述のユニットは、第１の方向に沿って隣接する複数のユニットにおいて同一線上に形成された第１の画線領域と、第１の方向に沿って、第１の画線領域と異なる位相で、かつ、隣接する複数のユニットにおいて同一線上に形成された第２の画線領域を有し、第１の画線領域は、基材とは異なる色で、かつ、複写機によって再生される大きさの潜像要素によって潜像模様のポジ画像が形成され、第２の画線領域は、基材と異なる色で、かつ、複写機によって再生されないハーフトーン濃度のカモフラージュ要素によって潜像模様のネガ画像が形成され、複数のユニットにおいて形成された潜像要素とカモフラージュ要素を合計した面積率は、印刷模様内全てにおいて同一の面積率で形成されたことを特徴とする偽造防止印刷物である。
【００１９】
また、本発明の偽造防止印刷物における潜像要素は、赤外線吸収性色素を含む色材で形成され、カモフラージュ要素は、赤外線吸収性色素を含まない色材で形成されたことを特徴とする偽造防止印刷物である。
【００２０】
また、本発明の偽造防止印刷物における潜像要素は、各々の第１の画線領域において面積率が変化して形成されたことで、連続階調を有する潜像模様が形成されたことを特徴とする偽造防止印刷物である。
【００２１】
また、本発明の偽造防止印刷物におけるユニットは、更に第３の画線領域を有し、第３の画線領域は、第１の方向に沿って第１の画線領域及び第２の画線領域と異なる位相で、かつ、隣接する複数のユニットにおいて同一線上に形成され、第３の画線領域は、基材と異なる色で、かつ、複写機によって再生されないハーフトーン濃度の可視要素によって可視画像が形成されたことを特徴とする偽造防止印刷物である。
【００２２】
また、本発明の偽造防止印刷物における可視要素は、赤外線吸収色素を含まない色材で形成されたことを特徴とする偽造防止印刷物である。
【００２３】
また、本発明の偽造防止印刷物は、複数のユニットにおける潜像要素及びカモフラージュ要素の合計面積率が５％から４０％までの範囲内であることを特徴とする偽造防止印刷物である。
【００２４】
また、本発明の偽造防止印刷物用データの作成方法は、少なくとも潜像模様の基となる画像データを入力する入力手段と、入力された画像データを基に、肉眼では不可視、かつ、特定の観察方法では可視となる潜像模様を生成する編集手段を少なくとも備えた偽造防止印刷物用データの作成方法であって、入力手段を用いて、潜像模様の基となる画像を外部から入力するか、又はあらかじめ登録したデータベースから取り込んで潜像模様の基画像を設定するステップと、基画像をグレースケール画像に変換するステップと、グレースケール画像にプロファイルを適用し、グレースケール画像のトーンカーブを変更するプロファイル適用ステップと、グレースケール画像に臨界値配列画像を適用し、第１の画線領域に潜像模様のポジ画像を生成する臨界値配列画像適用ステップと、プロファイル適用ステップで生成された画像データを、第２の画線領域に潜像模様のネガ画像を生成するためのマスクを適用するステップと、ポジ画像とネガ画像を合成した合成画像を生成するステップを少なくとも備えたことを特徴とする偽造防止印刷物用データの作成方法である。
【００２５】
また、本発明の偽造防止印刷物用データの作成方法は、グレースケール画像に変換するステップで得られたグレースケール画像に基づき、所定の領域内におけるグレーレベルを平均化した領域平均化画像を生成する領域平均化ステップを更に有することを特徴とする偽造防止印刷物用データの作成方法である。
【００２６】
また、本発明の偽造防止印刷物用データの作成方法は、ポジ画像をＫチャンネルに変更するステップと、ネガ画像をＣＭＹチャンネルに変更するステップを更に備えたことを特徴とする偽造防止印刷物用データの作成方法である。
【００２７】
また、本発明の偽造防止印刷物用データの作成方法は、入力手段を用いて、可視模様の基となる画像を外部から入力するか、又はあらかじめ登録したデータベースから取り込んで可視模様を設定するステップと、可視模様のトーンカーブを適用するステップと、トーンカーブを適用した可視模様に、第３の画線領域に可視模様を生成するためのマスクを適用するステップと、合成画像に可視模様を合成するステップを備えたことを特徴とする偽造防止印刷物用データの作成方法である。
【００２８】
また、本発明の偽造防止印刷物用データの作成方法は、可視模様をＣＭＹチャンネルに変更するステップ更に備えたことを特徴とする偽造防止印刷物用データの作成方法である。
【００２９】
また、本発明の偽造防止印刷物の作製システムは、少なくとも画像を受信する特定情報受信サーバと、画像を肉眼では不可視、かつ、特定の観察方法では可視の潜像模様として形成する偽造防止印刷物用データの作成方法を備えたソフトウェアを有するデータ変換サーバと、潜像模様を少なくとも有する偽造防止印刷物を出力する出力デバイスを有する偽造防止印刷物の作製システムであって、特定情報受信サーバを用いて、少なくとも潜像模様の基となる画像を、通信回線を介して受信するか、又はあらかじめ登録したＩＣメモリから取り込んで潜像模様の基画像を設定し、データ変換サーバに配信するステップと、データ変換サーバにおけるソフトウェアを用いて、少なくとも潜像模様が形成された偽造防止印刷物の画像データに変換するステップと、出力デバイスを用いて、偽造防止印刷物を出力するステップを有することを特徴とする偽造防止印刷物の作製システムである。
【００３０】
さらに、本発明の偽造防止印刷物の作製システムにおける偽造防止印刷物の画像データに変換するステップは、出力デバイスにより出力したテストチャートから出力デバイスの特徴を抽出するか、又はあらかじめ登録された出力デバイスの特徴を加味したトーンカーブに補正するステップを有することを特徴とする偽造防止印刷物の作製システムである。
【発明の効果】
【００３１】
本発明の偽造防止印刷物は、複写機の解像度等の性能に依存することなく確実にカモフラージュ要素が消失することから、複写機を用いた偽造行為を確実に防止することができる。
【００３２】
また、限られた印刷面積の中で複数の偽造防止策が共有でき、ユーザーの使用環境や立場に応じた真偽判別手段が選択できる。また、本発明の偽造防止印刷物における印刷模様に備える意匠性を有する可視画像は、単色の模様の他、連続階調画像、フルカラー画像及びレインボー効果等、様々な美麗の表現が可能であり、不可視画像の発現時において視認性を阻害することはなく、印刷物に判別具を重ね合わせることによって、不可視画像が容易に、かつ、鮮明に可視画像へとスイッチして発現するという効果を奏する。
【００３３】
また、本発明の偽造防止印刷物は、複写物に視認される画像を複雑な連続階調を有する画像とすることができることから、顔画像等を含む身分証明書、卒業証書等に用いた場合に複写物上に形成された顔写真と潜像模様を比較することで、容易に真偽判別することができる。
【００３４】
また、本発明の偽造防止印刷物は、画線の形状及び配置によって偽造防止効果をもたらすことが可能であることから、コストパフォーマンスに優れ、製版及び印刷方法も何ら限定されないため、印刷方式にも自由度があるという効果を奏する。
【００３５】
また、本発明の偽造防止印刷物用データの作成方法を用いることにより、複写機に搭載されたバンドパス・フィルタ等の画像処理性能に左右されることなく、確実に複写防止効果を再現することができる方法として、写真画像等の連続階調画像が一般的な複写機を用いて連続階調画像として再現できるように印刷模様内に埋め込む技術を誰もが同様、かつ、容易に行えることが可能である。
【００３６】
さらに、本発明の偽造防止印刷物の作製システムを用いることで、連続階調画像の個人情報、いわゆる顔写真を簡単に印刷物に付与可能となるため、各自治体での証明書類の印刷・発行や、パスポートにおける個人情報としての顔写真の印刷が可能である。
【図面の簡単な説明】
【００３７】
【図１】本発明が対象とする偽造防止印刷物の一例を示す図。
【図２】カラー複写機等によって複写された複写物を示す図。
【図３】印刷物に判別具を所定の位置に重ね合わせた状態を示す図。
【図４】印刷物に赤外線光下で観察した状態を示す図。
【図５】印刷模様の一画線の構成におけるユニットを示す図。
【図６】印刷物において潜像模様の基となる不可視画像を示す図。
【図７】ユニットが５つ横方向に並んだ状態となった模式図。
【図８】可視模様の基となる可視画像を示す図。
【図９】ユニットが５つ横方向に並んだ状態となった模式図。
【図１０】不可視画像と可視画像とが同時に備わっている画線構成が示された模式図。
【図１１】ユニットがマトリクス状に縦横隙間なく配置された状態を示す図。
【図１２】本発明の複合要素セキュリティ機能を有する印刷模様を示す図。
【図１３】カラー複写機等によって複写された印刷模様を示す図。
【図１４】判別具が重ね合わされた印刷模様を示す図。
【図１５】赤外線視された印刷模様を示す図。
【図１６】偽造防止印刷物用データを作成する装置構成を示すブロック図。
【図１７】偽造防止印刷物用データの作成方法が示された図。
【図１８】不可視画像となる２４ｂｉｔＲＧＢ画像の顔画像とグレーレベルの領域平均化された８ｂｉｔグレースケール画像の顔画像とが示された図。
【図１９】８ｂｉｔグレースケール画像である第１の画像と、８ｂｉｔグレースケール画像である第２の画像とが示された図。
【図２０】可視画像となる２４ｂｉｔＲＧＢ画像の模様が示された図。
【図２１】トーンカーブとマスクが適用された第３の画像が示された図。
【図２２】第１の画像と第２の画像と第３の画像とが合成された３２ｂｉｔＣＭＹＫ画像が示された図。
【図２３】本発明のテストチャート画像が示された図。
【図２４】本発明のテストチャート画像が各種異なる印刷デバイスにおいて出力された結果が示された図。
【図２５】プロファイルに適用されるトーンカーブが示された図。
【図２６】偽造防止印刷物作製システムが示された図。
【発明を実施するための形態】
【００３８】
本発明を実施するための形態について、図面を参照して説明するが、本発明は、以下に述べる実施するための形態に限定されるものではなく、特許請求の範囲記載における技術的思想の範囲内であれば、その他の様々な実施の形態が含まれる。
【００３９】
図１は、本発明が対象とする偽造防止印刷物（以下「印刷物」という。）（１）と、その印刷模様（２）の例である。図１では、旅券冊子を例として、表紙と裏表紙の間に複数の記録用のページがとじ部により一体化されており、所有者の顔画像（１１）と、複合要素セキュリティ機能を有する印刷模様（２）に可視模様（８）が形成されたものである。本発明の複合要素セキュリティ機能とは、少なくとも第１の真偽判別方法と第２の真偽判別方法を同一の印刷面上に備えたものであり、さらには、第３の真偽判別方法を含む３種類を同一印刷面上に形成できる機能である。なお、図１に示した旅券冊子は一例にすぎず、必ずしも同じようなデザイン（配置）である必要はない。
【００４０】
第１の真偽判別方法は、カラー複写機等を用いるものであり、図２は、複合要素セキュリティ機能を備えた印刷物（１）を、カラー複写機等によって複写された複写物（１２）が示されたものである。図２に示すように、複写物（１２）において複写された印刷模様（３）に潜像模様（７）が可視化されている。可視化された潜像模様（７）と、所有者の顔画像（１１）とを参照し、人物の一致を確認することで容易な真偽判別を可能にしている。
【００４１】
第２の真偽判別方法は、透明性を有するフィルタに複数の直線が万線状に一方向に沿って形成された万線フィルタ又はレンチキュラーレンズ等の判別具（４）を用いるものであり、図３は、複合要素セキュリティ機能を備えた印刷物（１）において、判別具（４）を所定の位置に重ね合わせた状態が示されたものである。図３に示すように、印刷物（１）上の判別具（４）が重なった部分において潜像模様（７）が可視化されている。可視化された潜像模様（７）と、所有者の顔画像（１１）とを参照し、人物の一致を確認することで容易な真偽判別を可能にしている。
【００４２】
第３の真偽判別方法は、赤外線視するカメラ（又は光学式スキャナ）を搭載した画像入力・表示装置（ＩＲビューアとも呼ばれる。）等を用いるものであり、図４は、複合要素セキュリティ機能を備えた印刷物（１）を、該画像入力・表示装置によって赤外線視した画像（５）が示されたものである。図４に示すように、赤外線視した画像（５）において赤外線視した印刷模様（６）に潜像模様（７）が可視化されている。可視化された潜像模様（７）と、所有者の顔画像（１１）とを参照し、人物の一致を確認することで容易な真偽判別を可能にしている。
【００４３】
図５は、印刷物（１）に対する印刷模様の一画線の構成における部分的な拡大図を示すものである。ここで、縦の寸法（Ｓｖ）及び横の寸法（Ｓｈ）は、例えば、４２３μｍというように１ｍｍ以下の大きさである。また、画像解像度は、例えば、１，２００ｄｐｉとし、縦横２０ピクセルとなっている。図５の画線構成は、ユニットと称する最小単位であり、第１の画線領域（Ａ）と、第２の画線領域（Ｂ）と、第３の画線領域（Ｃ）とで構成されている。このユニットが、印刷物（１）の表面上においてマトリクス状に規則的に配置される。第１の画線領域（Ａ）と、第２の画線領域（Ｂ）は、ユニット内での領域におけるモノクロ階調の濃淡反転の関係にある。この濃淡反転の関係とは、例えば、一方が黒のとき、他方は白、一方がグレー色のとき、他方はグレー色である。このような第１の画線領域（Ａ）と第２の画線領域（Ｂ）とが存在することで通常の可視条件下では視認されず、第１の画線領域（Ａ）のみにより後述する不可視画像のポジ画像、第２の画線領域（Ｂ）のみにより不可視画像のネガ画像がそれぞれ形成されている。さらに、図５に示された第１の画線領域（Ａ）及び第２の画線領域（Ｂ）は、ユニット横方向を長手方向とし、寸法（Ｓｈ）を最大幅とする長方形である。すなわち、ユニットの近傍部によって第１の画線領域（Ａ）及び第２の画線領域（Ｂ）が横一直線状に連結されているものである。なお、中心線（Ｌ１）は、判別具（４）に関係するものであるが、詳しくは後述にて詳細に説明する。
【００４４】
また、図５に示された第３の画線領域（Ｃ）により可視画像（デザイン：模様）を形成し、任意の図形及び文字から成る印刷模様（２）の可視模様（８）を構成する画線となり、第３の画線領域（Ｃ）は、第１の画線領域（Ａ）及び第２の画線領域（Ｂ）と異なる位置に配置されている。さらに、図５に示された第３の画線領域（Ｃ）は、ユニット横方向を長手方向とし、寸法（Ｓｈ）を最大幅とする長方形である。すなわち、ユニットの近傍部によって第３の画線領域（Ｃ）が横一直線状に連結されているものである。
【００４５】
なお、図５で第１の画線領域（Ａ）は一定濃度で示されているが、実際には、第１の画線領域（Ａ）内で形成された画線が、潜像模様（７）の構成によって可変する。具体的な画線構成については後述にて詳細に説明する。
【００４６】
また、第１の画線領域（Ａ）と第２の画線領域（Ｂ）は、可視光の波長領域においては、肉眼視においては画線面積率２０％程度の黒色となって視認される。また、本実施の形態における第１の画線領域（Ａ）は、赤外線吸収性色素を含む色材、例えば、ブラックで構成され、第２の画線領域（Ｂ）は、赤外線吸収性色素を含まない色材、例えば、シアン、マゼンタ及びイエローの減法混色によって混合されたインキで構成されている。本実施の形態では、潜像模様（７）の連続階調を第１の画線領域（Ａ）が、赤外線吸収性色素を含む色材にて構成されている。具体的な画線構成については後述にて詳細に説明する。
【００４７】
図１に示された印刷物（１）の印刷模様（２）は、図５に示されたユニットが縦ステップ数と横ステップ数をもってマトリクス状に縦横隙間なく、連続的に、かつ、規則的に配置されたものである。なお、本実施の形態でいうステップ数とは、印刷模様（２）上で繰り返されるユニットの数のことを指すもので、ステップ数に何ら制限はなく、このステップ数によって可視画像及び不可視画像の画像分解能と比例している。また、第１の画線領域（Ａ）と、第２の画線領域（Ｂ）とが横方向に並ぶことによって、第１の画線領域（Ａ）群から成る平行万線と、第２の画線領域（Ｂ）群から成る平行万線とが形成される。すなわち、図３は、線位相変調（Line phase modulation）によって、不可視画像を施している状態となっているものである。
【００４８】
図６は、印刷物（１）において潜像模様（７）の基となる不可視画像（９）が示されたものである。不可視画像（９）は、例えば、８ｂｉｔのグレースケール画像で写真階調を有している。図７は、図６の不可視画像（９）が構成されている階調を潜像模様化される過程が示されたものである。
【００４９】
図７（ａ）は、グレースケール画像を０％〜１００％の画線面積率で客観的に目視できる濃淡で表し、かつ、縦の寸法（Ｓｖ）及び横の寸法（Ｓｈ）によるユニットが５つ横方向に並んだ状態となった模式図である。図７（ｂ）は、図７（ａ）の縦の寸法（Ｓｖ）及び横の寸法（Ｓｈ）によるユニットにおいて、画線面積率の値が単一化されたものであり、左から０％、２５％、５０％、７５％、１００％としている。
【００５０】
図７（ｃ）は、図５に示されたユニットの画線構成に従い、第１の画線領域（Ａ）のみに図７（ｂ）で示された画線面積率の値が設定されたものである。図７（ｄ）は、第２の画線領域（Ｂ）において、第１の画線領域（Ａ）の濃淡が反転した画線面積率の値が設定されたものである。ただし、完全に反転された値ではなく、縦の寸法（Ｓｖ）及び横の寸法（Ｓｈ）によるユニット内において、平均でほぼ２０％の画線面積率の値となるように調整されたものである。これにより、ユニットが縦ステップ数と横ステップ数をもってマトリクス状に縦横隙間なく配置された状態においては、全体が画線面積率２０％のグレーの状態となっている。
【００５１】
次に、図８は、印刷物（１）において可視模様（８）の基となる可視画像（１０）が示されたものである。可視画像（１０）は、例えば、８ｂｉｔのグレースケール画像で写真階調を有している。図９は、図８の可視画像（１０）が構成されている階調を可視模様化する過程が示されたものである。本発明の効果を奏するうえで、可視模様（８）の画線面積率の上限は２０％程度が適当である。したがって、図８に示された可視模様（８）の画線面積率は２０％とされている。
【００５２】
図９（ａ）は、図７（ａ）と同じく、グレースケール画像を０〜１００％の画線面積率で客観的に目視できる濃淡で表し、かつ、縦の寸法（Ｓｖ）及び横の寸法（Ｓｈ）によるユニットが５つ横方向に並んだ状態となった模式図である。０％と２０％の２階調の画線面積率によって可視模様（８）を構成している。図９（ｂ）は、図５に示されたユニットの画線構成に従い、第３の画線領域（Ｃ）のみに図９（ａ）で示された画線面積率の値が設定されたものである。
【００５３】
次に、図１０は、不可視画像（９）と可視画像（１０）とが同時に備わっている画線構成が示された模式図である。図１０（ａ）は、図７（ｄ）に示されたユニットと図９（ｂ）に示されたユニットが合成された画線構成を示すものである。図１０（ａ）の各ユニットに設定されている画線面積率の値を基に、印刷用画線が構築される。
【００５４】
図１０（ｂ）は、印刷された状態の画線が示されたものである。第１の画線領域（Ａ）は、赤外線吸収性色素を含む色材のブラックで印刷された万線パターンとなり、潜像模様（７）の基となる不可視画像（９）の濃淡に合わせて第１の画線領域（Ａ）の画線幅を形成することで、潜像模様（７）を形成している。一方、第２の画線領域（Ｂ）及び第３の画線領域（Ｃ）は、カラー複写機等の複写機で再生されない画線として形成する必要があるため、例えば、線数２００Ｌｉｎｅ／インチ相当以上の高精細網点で、かつ、赤外線吸収性色素を含まない色材のシアン、マゼンタ及びイエローで印刷された網点パターンとなっている。また、第２の画線領域（Ｂ）及び第３の画線領域（Ｃ）については、ＦＭスクリーン等のランダム配置の５０μｍ以下の微細ドット等によって、複写機で再生されない濃度で形成すれば、同様の効果を得ることができる。すなわち、印刷で表現し得る画線形状は本発明の範囲内である。
【００５５】
また、本実施の形態では、特定の領域内における第１の画線領域（Ａ）及び第２の画線領域（Ｂ）の合計面積を２０％とした例で説明したが、これに限定されるものではなく、２つの画線の合計面積を５％から４０％までの範囲内に設定すれば、本発明の印刷物の効果を得ることができる。さらに、第１の画線領域（Ａ）の画線面積率は、必ずしも０％〜２０％である必要はなく、画線面積率５％〜２０％等、連続階調の上限が４０％以下の範囲内であればよい。
【００５６】
本発明の構成について、更に詳細に説明する。図１１は、縦の寸法（Ｓｖ）及び横の寸法（Ｓｈ）によるユニットがマトリクス状に縦横隙間なく配置されたものである。図１１（ａ）は、印刷物（１）において潜像模様（７）の基となる不可視画像（９）が示されたものである。不可視画像（９）は、前述と同じく、８ｂｉｔのグレースケール画像で写真階調を有している。図１１（ｂ）は、印刷物（１）において可視模様（８）の基となる可視画像（１０）が示されたものである。可視画像（１０）は、前述と同じく、８ｂｉｔのグレースケール画像で写真階調を有している。
【００５７】
図１２は、前述した画線設定に基づいて構成された印刷模様（２）であり、第１の画線領域（Ａ）に相当する部分は、赤外線吸収性色素を含むブラックの色材で印刷された万線パターンとなっている。一方、第２の画線領域（Ｂ）及び第３の画線領域（Ｃ）に相当する部分は、高精細、かつ、赤外線吸収性色素を含まないシアン、マゼンタ及びイエローの色材で印刷された網点パターンとなっている。印刷模様（２）を目視で見た場合、第１の画線領域（Ａ）及び第２の画線領域（Ｂ）は、明るいグレー色となり、第３の画線領域（Ｃ）で構成されている可視模様（８）のみが視認されている。この状態が、本発明でいう複合要素セキュリティ機能を有する印刷模様（２）である。
【００５８】
図１３は、複合要素セキュリティ機能を有する印刷模様（２）において、カラー複写機等によって複写された印刷模様（３）が示されたものでる。第１の画線領域（Ａ）に相当する部分の画線はそのままに、第２の画線領域（Ｂ）及び第３の画線領域（Ｃ）に相当する部分の画線が淡くなる。これにより、第１の画線領域（Ａ）に構成された潜像模様（７）が可視化されている。これが第１の真偽判別方法である。
【００５９】
図１４は、複合要素セキュリティ機能を有する印刷模様（２）において、レンチキュラーレンズ等の判別具（４）が重ね合わされた印刷模様（２）が示されたものでる。図１４（ａ）に示されるように、判別具（４）のレンチキュラーレンズの中心（Ｌ１）と、第１の画線領域（Ａ）に相当する部分の画線が一致すると、図１４（ｂ）に示されるように、第１の画線領域（Ａ）に備わる画線のみが拡大表示される。これにより、第１の画線領域（Ａ）に構成された潜像模様（７）が可視化されている。これが第２の真偽判別方法である。
【００６０】
図１５は、複合要素セキュリティ機能を有する印刷模様（２）において、赤外線視するカメラ（又は光学式スキャナ）を搭載した画像入力・表示装置（ＩＲビューアとも呼ばれる。）等を用いて表示された印刷模様（６）が示されたものである。赤外線吸収性色素を含む第１の画線領域（Ａ）に相当する部分の画線はそのままに、赤外線吸収性色素を含まない第２の画線領域（Ｂ）及び第３の画線領域（Ｃ）に相当する部分の画線が不可視となる。これにより、第１の画線領域（Ａ）に構成された潜像模様（７）が可視化されている。これが第３の真偽判別方法である。
【００６１】
（偽造防止印刷物の作製装置）
次に、本発明の印刷物用のデータを作成する方法について説明する。本発明は、写真等の連続階調を有する画像を、画線を用いて構成されている模様内に、連続階調の不可視情報として埋め込み、該不可視情報を所定の方法をもって連続階調を有する画像として出現することが可能な印刷物用のデータの作成方法に関するものであり、その印刷物を作製するための装置構成を図１６に示す。本実施の形態における印刷物の作製装置は、図１６のブロック図に示すように、入力手段（Ｍ１）、編集手段（Ｍ２）、出力手段（Ｍ３）、表示手段（Ｍ４）、ＩＣメモリ（Ｍ５）及びデータベース（Ｍ６）を備えている。
【００６２】
入力手段（Ｍ１）は、潜像模様入力手段（Ｍ１ａ）と可視模様入力手段（Ｍ１ｂ）とで構成され、潜像模様入力手段（Ｍ１ａ）における潜像模様（７）の入力は、ＩＣメモリ（Ｍ５）又はデータベース（Ｍ６）にあらかじめ記録された顔画像（１１）から得ることができる。一方、可視模様入力手段（Ｍ１ｂ）における可視模様（８）の入力においても、データベース（Ｍ６）にあらかじめ記録された任意の画像を得ることができる。
【００６３】
編集手段（Ｍ２）は、第１の画像領域編集手段（Ｍ２ａ）と、第２の画像領域編集手段（Ｍ２ｂ）と、第３の画像領域編集手段（Ｍ２ｃ）と、画像合成手段（Ｍ２ｄ）で構成されている。ＩＣメモリ（Ｍ５）又はデータベース（Ｍ６）から得られた顔画像（１１）等により、第１の画像領域編集手段（Ｍ２ａ）では第１の画像が生成され、第２の画像領域編集手段（Ｍ２ｂ）では第２の画像が生成され、第３の画像領域編集手段（Ｍ２ｃ）では必要に応じて第３の画像が生成され、画像合成手段（Ｍ２ｄ）では、第１の画像と第２の画像が合成され、必要に応じて第１の画像、第２の画像及び第３の画像とが合成される。
【００６４】
出力手段（Ｍ３）は、カラー・レーザープリンタ、カラー・インクジェットプリンタ等のコンピュータからの画像を印刷可能な印刷装置等であり、特に限定されるものではない。表示手段（Ｍ４）は、パソコンのモニタ、専用のモニタ等、特に限定されるものではない。また、ＩＣメモリ（Ｍ５）は、図１に示された印刷物（１）中に備わるＩＣメモリ（Ｍ５）に含まれるものであり、ＩＣメモリ（Ｍ５）は通信用アンテナを設けた非接触型又は接続用端子を設けた接触型等、形態・方式が限定されるものではない。
【００６５】
（印刷物用データの作成方法）
次に、前述した印刷物（１）の作製装置を用いて印刷物用のデータを作成する方法について詳細に説明する。図１７に示す処理フローは、実線で囲われたメイン処理フローと、点線に囲われたサブ処理フローによって構成される。
【００６６】
（メイン処理フロー）
図１７の実線で囲われたメイン処理フローについて説明する。まず、潜像模様（７）を設定するＳｔｅｐ１は、潜像模様（７）の基となる顔画像（１５）がＩＣメモリ（Ｍ５）又はデータベース（Ｍ６）から自動的に入力される。例えば、ＩＣメモリ（Ｍ５）から入力された２４ｂｉｔＲＧＢ画像を設定する。本実施の形態では、図１８に示された２４ｂｉｔＲＧＢ画像の顔画像（１５）である。
【００６７】
次に、８ｂｉｔグレースケール画像に変換するＳｔｅｐ２について説明する。ソフトウェアは、Ｓｔｅｐ１で自動的に入力された図１８（ａ）に示す顔画像（１５）をコンピュータのメモリ上に確保し、８ｂｉｔグレースケール画像に変換する。このとき、出力手段（Ｍ３）の出力解像度に合わせて画像解像度をリサンプルすることが望ましい。本実施の形態では、画像解像度を１，２００ｄｐｉとした。
【００６８】
次に、Ｓｔｅｐ３について説明する。Ｓｔｅｐ２で得られた８ｂｉｔグレースケール画像において、グレーレベルの領域平均化を行う。いわゆるモザイク処理であるが、本実施の形態では、後述する臨界値配列画像（Ａ１）及びマスク（Ｃ１）の画素数が１０×１０ピクセルの正方形であることから、グレーレベルの領域平均化においては、図１８（ｂ）に示す８ｂｉｔグレースケール画像（１６）のように縦寸法（Ｓｖ）横寸法（Ｓｈ）が２０×２０ピクセルの正方形のモザイク状となっている。なお、Ｓｔｅｐ３は、必ずしも実施する必要はなく、以降で説明するＳｔｅｐ４で用いるポジ画像及びＳｔｅｐ５で用いるネガ画像を、Ｓｔｅｐ２で生成された８ｂｉｔグレースケール画像（１６）をそのまま用いることも可能である。
【００６９】
次に、Ｓｔｅｐ４について説明する。ソフトウェアは、Ｓｔｅｐ２で生成した８ｂｉｔグレースケール画像（１６）か、又はＳｔｅｐ３でメモリ上に準備した８ｂｉｔグレースケール画像（１６）において、プロファイル（Ｂ１）を適用し、ネガ画像用のデータを生成する。図１９に示されたように、プロファイル（Ｂ１）はトーンカーブの変更に作用し、画線面積率０％を画線面積率３３％とし、画線面積率１００％を画線面積率０％とし、リニアな連続性を持ったトーンカーブとしている。
【００７０】
次に、Ｓｔｅｐ５について説明する。ソフトウェアは、Ｓｔｅｐ２で生成した８ｂｉｔグレースケール画像（１６）か、又はＳｔｅｐ３で生成された８ｂｉｔグレースケール画像（１６）において、第１の画線領域（Ａ）にポジ画線を生成させるための臨界値配列画像（Ａ１）を適用する。図１９に示されたように、例えば、縦寸法（Ｓｖ）横寸法（Ｓｈ）が２０×２０ピクセルの臨界値配列画像（Ａ１）は、第１の画線領域（Ａ）を備えている。この第１の画線領域（Ａ）は、判別具（４）のレンチキュラーレンズの線数６０Ｌｉｎｅ／インチのピッチに合致している。
【００７１】
また、臨界値配列画像（Ａ１）は、図２で示した、複写すると再現される潜像画線（７）が創出されるものである。この結果、最終的に出力解像度で変換された１ｂｉｔモノクロ画像は、一見して万線状となって生成される。これを第１の画像（１７）と称する。
【００７２】
次に、Ｓｔｅｐ６について説明する。ソフトウェアは、Ｓｔｅｐ４でプロファイル（Ｂ１）が適用された８ｂｉｔグレースケール画像（１６）において、第２の画線領域（Ｂ）にカモフラージュ画線（１３）を生成させるためのマスク（Ｃ１）を適用する。図１９に示されたように、例えば、縦寸法（Ｓｖ）横寸法（Ｓｈ）が２０×２０ピクセルのマスク（Ｃ１）は、第２の画線領域（Ｂ）を備えている。この結果、一見してコントラストの低いネガ画像となって生成される。これを第２の画像（１８）と称する。
【００７３】
（サブ処理フロー）
潜像模様（７）を設定するＳｔｅｐ１と並列して、必要に応じて可視模様（８）を設定するＳｔｅｐ１０は、作成者が希望する可視模様（８）の基となる画像がＩＣメモリ（Ｍ５）又はデータベース（Ｍ６）から自動的に入力される。例えば、データベース（Ｍ６）から入力された２４ｂｉｔＲＧＢ画像を設定する。本実施の形態では、図２０に示された２４ｂｉｔＲＧＢ画像の可視画像（１９）であり、第１の画像（１７）及び第２の画像（１８）と同じ画素数となっている。
【００７４】
次に、図１７の点線囲い内のサブ処理フローに示したＳｔｅｐ１１について説明する。ソフトウェアは、Ｓｔｅｐ１０でメモリ上に準備された２４ｂｉｔＲＧＢ画像においてトーンカーブの適用を行う。本実施の形態では、図２１に示したように、可視画像（１９）にトーンカーブ（Ｄ１）を適用する。ソフトウェアは、画線面積率０％を画線面積率０％、画線面積率１００％を画線面積率２０％とし、リニアな連続性をもったトーンカーブとしている。
【００７５】
次に、Ｓｔｅｐ１２について説明する。ソフトウェアは、Ｓｔｅｐ１１でトーンカーブ（Ｄ１）が適用された可視画像（１９）において、第３の画線領域（Ｃ）に画線を生成させるためのマスク（Ｅ１）を適用する。図２１に示されたように、例えば、縦寸法（Ｓｖ）横寸法（Ｓｈ）が２０×２０ピクセルのマスク（Ｅ１）は、第３の画線領域（Ｃ）を備えている。この結果、一見してコントラストの低いポジ状の可視模様（８）となって生成される。これを第３の画像（２０）と称する。
【００７６】
次に、Ｓｔｅｐ７、Ｓｔｅｐ８及びＳｔｅｐ１３について説明する。ソフトウェアは、Ｓｔｅｐ７として、１ｂｉｔモノクロ画像である第１の画像（１７）と、Ｓｔｅｐ８として、８ｂｉｔグレースケール画像（１６）である第２の画像（１８）と、必要に応じてＳｔｅｐ１３として、２４ｂｉｔＲＧＢ画像である第３の画像（２０）を、それぞれ３２ｂｉｔＣＭＹＫ画像への変換を行う。１ｂｉｔモノクロ画像である第１の画像（１７）は、ＣＭＹＫチャンネルのうちのＫ（ブラック）チャンネルに変換した。また、８ｂｉｔグレースケール画像（１６）である第２の画像（１８）は、ＣＭＹＫチャンネルのうちのＣＭＹ（シアン、マゼンタ、イエロー）チャンネルに変換した。さらに、２４ｂｉｔＲＧＢ画像である第３の画像（２０）は、ＣＭＹＫチャンネルのうちのＣＭＹチャンネルに変換した。
【００７７】
次に、Ｓｔｅｐ９について説明する。ソフトウェアは、それぞれ３２ｂｉｔＣＭＹＫ画像に変換された第１の画像（１７）、第２の画像（１８）及び第３の画像（２０）を合成し、図２２に示した３２ｂｉｔＣＭＹＫ画像として生成する。これを合成画像（２１）と称する。なお、本発明の印刷物（１）として、図２に示す、複写時に潜像模様（７）が出現する第１の真偽判別方法と、図３に示す、万線フィルタ又はレンチキュラーレンズ等の判別具（４）を所定の位置に重ねた際に潜像模様（７）が出現する第２の真偽判別方法のみを付与した構成とすることも可能であり、その場合、前述したＳｔｅｐ７、Ｓｔｅｐ８及びＳｔｅｐ１３を簡略化し、任意の色で各々の画像を形成し、Ｓｔｅｐ９の合成画像（２１）を生成することも可能であり、これらの構成は本発明の範囲内である。
【００７８】
（印刷デバイスによる印刷）
図１７に示した処理フローによって生成した３２ｂｉｔＣＭＹＫ画像の合成画像（２１）は、各種印刷デバイスにて印刷可能である。なお、印刷設定については各種印刷デバイスによって適宜調整されるものであり、本発明における特許請求の範囲ではない。
【００７９】
（臨界値配列画像）
ここで、図１９の説明で記載した臨界値配列画像（Ａ１）について説明する。本発明でいう臨界値配列画像とは、広く公開された技術から成るものであり、画像中の画素が黒化する優先順位を０から２５５までのグレーレベルに変換した画像である。よって、臨界値配列画像（Ａ１）は、８ｂｉｔグレースケール画像（１６）の濃度値に従って潜像模様（７）の画線幅を形成できる位置に、すなわち第１の画線領域（Ａ）に潜像模様（７）を設けるように設定されている。
【００８０】
（プロファイルとテストチャート）
ここで、既にＳｔｅｐ４の説明で記載したプロファイル（Ｂ１）について詳細に説明する。このプロファイル（Ｂ１）は、図１８に示された８ｂｉｔグレースケール画像（１６）に、プロファイル（Ｂ１）を適用する際、このプロファイル（Ｂ１）に必要に応じて置き換えられるトーンカーブの設定ファイルである。なお、プロファイル（Ｂ１）に格納される設定値は、本実施の形態で用いられる印刷デバイスのカラー・レーザープリンタで、図２３に示すテストチャート画像（２２）を出力することによって求められる。すなわち、出力デバイスの特性に従った補正値がトーンカーブに加味されている。テストチャート画像（２２）を用いた具体的な補正方法を以下に説明する。
【００８１】
図２３（ａ）に示すテストチャート画像（２２）は、第１の画像（１７）の基本を成す潜像模様（７）と、第２の画像（１８）の基本を成すグレースケール画像の階調を有するカモフラージュ画線（１３）とで構成されたドキュメントファイルである。テストチャート画像（２２）はビットマップ形式であり、最終的な印刷デバイスの出力解像度と同じである。本実施の形態では、１，２００ｄｐｉとした。図２３（ｂ）に示すテストチャート画像（２２´）は、第１の画像（１７）の基本を成す潜像模様（７）のみを示したものである。領域（ｃ１）は、画線面積率２０％の潜像模様（７）である。領域（ｃ２）は、向かって左から画線面積率０％から画線面積率２０％までを１１段階に設定した潜像模様（７）である。領域（ｃ３）には画線が存在しない。また、図２３（ｃ）に示すテストチャート画像（２２´´）は、第２の画像（１８）の基本を成すグレースケール画像の階調を有するカモフラージュ画線（１３）のみを示したものである。領域（ｃ１）には画線が存在しない。領域（ｃ２）は、向かって右から画線面積率０％から画線面積率３３％までを１１段階に設定したカモフラージュ画線（１３）である。領域（ｃ３）は、画線面積率３３％である。なお、第２の画線領域（Ｂ）のみに画線面積率３３％のカモフラージュ画線（１３）があることから、空白部を含む単位面積率は２０％となる。また、画線面積率１７％のカモフラージュ画線（１３）がある場合には、空白部を含む単位面積率は１０％となる。テストチャート画像（２２´）と、テストチャート画像（２２´´）とが画像上で合成されているのがテストチャート画像（２２）である。
【００８２】
図２４は、図２３（ａ）に示すテストチャート画像（２２）を各種異なる印刷デバイスにおいて出力した結果を示したものである。例えば、印刷デバイスＡで出力したテストチャート画像（２２）を図２４（ａ）に示す。この場合、領域（ｃ１）、領域（ｃ２）、領域（ｃ３）が全て画線面積率２０％となって出力されているので、プロファイルに補正値を加味しなくともよい。すなわち、図１８で示された８ｂｉｔグレースケール画像（１６）に、プロファイル（Ｂ１）を適用する場合、プロファイル（Ｂ１）に設定されたトーンカーブは、図２５（ａ）に示されたトーンカーブ（Ｄ１´）のように、プロファイル（Ｂ１）と同じとなっている。
【００８３】
次に、印刷デバイスＢで出力したテストチャート画像（２２）を図２４（ｂ）に示す。この場合、領域（ｃ１）の画線面積率２０％に対し、領域（ｃ３）の画線面積率が６％となり、領域（ｃ２）の画線面積率がリニアに低くなって出力されている。この場合、プロファイルに補正値を加味する必要がある。すなわち、図１８で示された８ｂｉｔグレースケール画像（１６）に、プロファイル（Ｂ１）を適用する場合、プロファイル（Ｂ１）に設定されたトーンカーブは、図２５（ｂ）の実線に示されたトーンカーブ（Ｄ１´）のように、点線で示されたプロファイル（Ｂ１）に対してリニアに面積率を上げている。このプロファイル（Ｂ１）を用いることによって印刷デバイスＢは、印刷デバイスＡのように適正な画線面積率となった出力が得られる。
【００８４】
次に、印刷デバイスＣで出力したテストチャート画像（２２）を図２４（ｃ）に示す。この場合、領域（ｃ１）の画線面積率２０％に対し、領域（ｃ３）の画線面積率が３５％となり、領域（ｃ２）の画線面積率がリニアに高くなって出力されている。この場合、プロファイルに補正値を加味する必要がある。すなわち、図１８で示された８ｂｉｔグレースケール画像（１６）に、プロファイル（Ｂ１）を適用する場合、プロファイル（Ｂ１）に設定されたトーンカーブは、図２５（ｃ）の実線に示されたトーンカーブ（Ｄ１´）のように、点線で示されたプロファイル（Ｂ１）対してリニアに面積率を下げている。このプロファイル（Ｂ１）を用いることによって印刷デバイスＣは、印刷デバイスＡのように適正な画線面積率となった出力が得られる。
【００８５】
次に、印刷デバイスＤで出力したテストチャート画像（２２）を図２４（ｄ）に示す。この場合、領域（ｃ１）の画線面積率２０％に対し、領域（ｃ３）の画線面積率が６％となり、領域（ｃ２）の画線面積率が一部低くなって出力されている。この場合、プロファイルに補正値を加味する必要がある。すなわち、図１８で示された８ｂｉｔグレースケール画像（１６）に、プロファイル（Ｂ１）を適用する場合、プロファイル（Ｂ１）に設定されたトーンカーブは、図２５（ｄ）の実線に示されたトーンカーブ（Ｄ１´）のように、点線で示されたプロファイル（Ｂ１）対して一部の面積率を上げている。このプロファイル（Ｂ１）を用いることによって印刷デバイスＤは、印刷デバイスＡのように適正な画線面積率となった出力が得られる。
【００８６】
次に、印刷デバイスＥで出力したテストチャート画像（２２）を図２４（ｅ）に示す。この場合、領域（ｃ１）、領域（ｃ３）が画線面積率２０％となっているが、領域（ｃ２）の画線面積率が一部高くなって出力されている。この場合、プロファイルに補正値を加味する必要がある。すなわち、図１８で示された８ｂｉｔグレースケール画像（１６）に、プロファイル（Ｂ１）を適用する場合、プロファイル（Ｂ１）に設定されたトーンカーブは、図２５（ｅ）の実線に示されたトーンカーブ（Ｄ１´）のように、点線で示されたプロファイル（Ｂ１）対して一部の面積率を下げている。このプロファイル（Ｂ１）を用いることによって印刷デバイスＥは、印刷デバイスＡのように適正な画線面積率となった出力が得られる。
【００８７】
これにより、高精細な網点等から成るハーフトーン画線の階調を調整するため、各々の出力デバイスに応じたプロファイル（Ｂ１）を適用することによって、図１に示された印刷物（１）において、全てのユニットにおける第１の画線領域（Ａ）及び第２の画線領域（Ｂ）に形成された画線が同じ画線面積率となり、潜像模様（７）を完全に不可視の状態にすることができる。
【００８８】
（作製システム）
次に、本発明の印刷物（１）の作製システムについて、システムフロー図を用いて詳細に説明する。
【００８９】
図２６は、本発明の作製システムの一例を示したものであり、個人情報が格納されたデータベース（Ｍ６）を保有する公共組織（Ｓ）において、あらかじめ記録された顔画像（１１）は、ＩＣメモリ（Ｍ５）に記録され、旅券冊子型の印刷物（１）の一部に印刷する例である。まず、公共組織（Ｓ）は、自らが所有する印刷デバイス（１４）において、あらかじめテストチャート画像（２２）を出力することによって得たプロファイル（Ｂ１）を有し、印刷物（１）の印刷模様（２）を印刷するための最適な印刷条件となっている。
【００９０】
次に、公共組織（Ｓ）は、データベース（Ｍ６）から顔画像（１１）を印刷物（１）に備わるＩＣメモリ（Ｍ５）に記録させる。次に、ＩＣメモリ（Ｍ５）に記録されている顔画像（１１）を読み取り、データ変換サーバの編集手段（Ｍ２）に送られる。また、点線矢印に示されたように、編集手段（Ｍ２）は、顔画像（１１）をデータベース（Ｍ６）から直接受け取ってもよい。
【００９１】
次に、図１７の処理フローのソフトウェアがインストールされている編集手段（Ｍ２）のデータ変換サーバにおいて、顔画像（１１）が潜像として付与されたドキュメントファイルを自動生成し、印刷デバイス（１４）で各々の個人情報に合致した印刷模様（２）が印刷物（１）上に印刷される。印刷デバイス（１４）は、カラー・レーザープリンタ、カラー・インクジェットプリンタ等のコンピュータからの画像を印刷可能な印刷装置等であり、特に限定されるものではないが、前述した合成画像（２１）において、ＣＭＹＫチャンネルのうちのＫ（ブラック）は、赤外線吸収色素を含むブラック色の色材であり、ＣＭＹＫチャンネルのうちのＣＭＹ（シアン、マゼンタ、イエロー）は、赤外線吸収色素を含まないシアン色、マゼンタ色及びイエロー色の色材であることが必須である。
【符号の説明】
【００９２】
１          印刷物
２          印刷模様
３          複写された印刷模様
４          判別具
５          赤外線視した画像
６          赤外線視した印刷模様
７          潜像模様
８          可視模様
９          不可視画像
１０        可視画像
１１        顔画像
１２        複写物
１３        カモフラージュ画線
１４        印刷デバイス
１５        顔画像
１６        ８ｂｉｔグレースケール画像
１７        第１の画像
１８        第２の画像
１９        可視画像
２０        第３の画像
２１        合成画像
２２、２２´、２２´´  テストチャート画像
Ａ          第１の画線領域
Ｂ          第２の画線領域
Ｃ          第３の画線領域
Ａ１        臨界値配列画像
Ｂ１        プロファイル
Ｃ１        マスク
Ｄ１、Ｄ１´  トーンカーブ
Ｅ１        マスク
ｃ１        テストチャート画像の領域
ｃ２        テストチャート画像の領域
ｃ３        テストチャート画像の領域
Ｍ１        入力手段
Ｍ１ａ      潜像模様入力手段
Ｍ１ｂ      可視模様入力手段
Ｍ２        編集手段
Ｍ２ａ      第１の画像領域編集手段
Ｍ２ｂ      第２の画像領域編集手段
Ｍ２ｃ      第３の画像領域編集手段
Ｍ２ｄ      画像合成手段
Ｍ３        出力手段
Ｍ４        表示手段
Ｍ５        ＩＣメモリ
Ｍ６        データベース
Ｌ１        レンチキュラーレンズの中心（中心線）
Ｓｖ        ユニットの縦の寸法
Ｓｈ        ユニットの横の寸法
Ｓ          旅券事務所・在外公館等の公共組織
【図１】
2020089971.tif 000003
【図２】
2020089971.tif 000004
【図３】
2020089971.tif 000005
【図４】
2020089971.tif 000006
【図５】
2020089971.tif 000007
【図６】
2020089971.tif 000008
【図７】
2020089971.tif 000009
【図８】
2020089971.tif 000010
【図９】
2020089971.tif 000011
【図１０】
2020089971.tif 000012
【図１１】
2020089971.tif 000013
【図１２】
2020089971.tif 000014
【図１３】
2020089971.tif 000015
【図１４】
2020089971.tif 000016
【図１５】
2020089971.tif 000017
【図１６】
2020089971.tif 000018
【図１７】
2020089971.tif 000019
【図１８】
2020089971.tif 000020
【図１９】
2020089971.tif 000021
【図２０】
2020089971.tif 000022
【図２１】
2020089971.tif 000023
【図２２】
2020089971.tif 000024
【図２３】
2020089971.tif 000025
【図２４】
2020089971.tif 000026
【図２５】
2020089971.tif 000027
【図２６】
2020089971.tif 000028